(57)【要約】【課題】複数の光源を備える光源装置において、従来の構成をできるだけ変更せずに、光源の異常状態をより確実に検出できるようにする。【解決手段】光源装置１は、複数のＣＣＦＬ２が並列に接続された光源回路部２０と、コントロールＩＣ５と、保護回路６とを備える。保護回路６は、光源回路部２０に繋がるＦＢライン１２の電圧が、異常検出時間以上継続して異常検出電圧値以上になると、ＣＣＦＬ２のランプ割れであると検出する。コントロールＩＣ５は、ＦＢライン１２の電流値が異常検出電流値未満になると、各ＣＣＦＬ２の端子間電圧を上昇させていく。これにより、ＦＢライン１２の電圧が異常検出電圧値以上に上昇する。そして、コントロールＩＣ５は、異常検出電圧値以上に上昇したＦＢライン１２の電圧を、異常検出電圧値以上に維持させる。【選択図】図１
2014220155.tif 000002
【特許請求の範囲】
【請求項１】
複数の光源が並列に接続された光源回路部と、
前記光源回路部に繋がる異常検出ラインの電圧が、所定の異常検出時間以上継続して所定の異常検出電圧値以上になると、前記光源回路部の複数の光源のうちの少なくとも１つが点灯していない異常状態であると検出する異常検出手段と、
前記異常検出ラインに流れる電流の電流値が、前記光源回路部の複数の光源の全てが点灯しているときの電流値よりも所定の電流値小さい所定の異常検出電流値未満になると、前記光源回路部の各光源の端子間電圧を上昇させていく電圧上昇手段と、
前記電圧上昇手段による前記光源回路部の各光源の端子間電圧の上昇によって前記異常検出電圧値以上に上昇した前記異常検出ラインの電圧を、前記異常検出電圧値以上に維持させる電圧維持手段と、
を備える光源装置。
【請求項２】
前記電圧維持手段は、
前記光源回路部の光源の端子からシャーシへの放電が起り得るときの前記光源回路部の光源の端子間電圧の電圧値をシャーシ放電電圧値とすると、
前記光源回路部の各光源の端子間電圧が前記シャーシ放電電圧値に達しないように、前記電圧上昇手段による前記光源回路部の各光源の端子間電圧の上昇を制限する、
ことを特徴とする請求項１に記載の光源装置。
【請求項３】
前記電圧維持手段は、前記異常検出ラインの電圧に基いて、前記光源回路部の各光源の端子間電圧が前記シャーシ放電電圧値に達しないように、前記電圧上昇手段による前記光源回路部の各光源の端子間電圧の上昇を制限する、
ことを特徴とする請求項２に記載の光源装置。
【請求項４】
前記光源回路部は、トランスの２次側コイルと光源が直列に接続されたものが並列に接続されており、
前記電圧上昇手段は、前記光源回路部のトランスの２次側コイルの出力電圧を上昇させることにより、前記光源回路部の各光源の端子間電圧を上昇させる、
ことを特徴とする請求項１乃至請求項３のいずれか一項に記載の光源装置。
【請求項５】
前記異常検出手段により前記異常状態であると検出されると、前記光源回路部の各光源を消灯させる保護手段をさらに備える、
ことを特徴とする請求項１乃至請求項４のいずれか一項に記載の光源装置。
【発明の詳細な説明】
【技術分野】
【０００１】
本発明は、例えば液晶ディスプレイのバックライトとして用いられる光源装置に関するものである。
【背景技術】
【０００２】
従来から、例えば液晶ディスプレイのバックライトとして用いられる光源装置において、複数の光源を備える（複数の光源を平面状に配列した）ものがある。また、このような光源装置において、光源としてＣＣＦＬ（冷陰極管ランプ）を用いたものがある。このような光源装置としては、図２に示す構成のものが知られている。
【０００３】
図２に示す光源装置７０は、複数のＣＣＦＬ７１と、Ｔバランス電源回路７２と、トランス７３と、コントロールＩＣ７４と、保護回路７５とを備える。複数のＣＣＦＬ７１は、Ｇ（Ｇｒｏｕｎｄ）ライン８１とＦＢ（Ｆｅｅｄｂａｃｋ）ライン（異常検出ライン）８２との間に並列に接続されている。
【０００４】
Ｔバランス電源回路７２は、コントロールＩＣ７４による制御のもと、高周波電圧を生成し、その生成した高周波電圧をＶＢＬ＋端子７２ａ、ＶＢＬ−端子７２ｂから出力する。トランス７３は、複数の（ＣＣＦＬ７１の個数と同じ個数の）１次側コイル７３ａ及び２次側コイル７３ｂを備えている。トランス７３の複数の（全ての）１次側コイル７３ａは、Ｔバランス電源回路７２のＶＢＬ＋端子７２ａ、ＶＢＬ−端子７２ｂ間に直列に接続されている。トランス７３の各（１つ１つの）２次側コイル７３ｂは、各（１つ１つの）ＣＣＦＬ７１に直列に接続されている。Ｔバランス電源回路７２から高周波電圧が出力されることにより、トランス７３の各２次側コイル７３ｂから高周波電圧が出力され、各ＣＣＦＬ７１の端子間に高周波電圧が供給される。
【０００５】
コントロールＩＣ７４は、Ｉｓｅｎ端子７４ａからの入力に基いて、ＦＢライン８２の電流値を検出する。また、コントロールＩＣ７４は、Ｖｓｅｎ端子７４ｂからの入力に基いて、Ｔバランス電源回路７２の出力電圧値を検出する。コントロールＩＣ７４は、これらＩｓｅｎ端子７４ａからの入力に基いて検出するＦＢライン８２の電流値、及びＶｓｅｎ端子７４ｂからの入力に基いて検出するＴバランス電源回路７２の出力電圧値に基いて、Ｔバランス電源回路７２の出力電圧を制御する。
【０００６】
保護回路７５は、ＦＢライン８２の電圧が所定の異常検出時間以上継続して所定の異常検出電圧値以上になると、ＣＣＦＬ７１のランプ割れ（ＣＣＦＬ７１の異常状態であって、複数のＣＣＦＬ７１のうちの少なくとも１つが点灯していない異常状態）であると検出する。ＣＣＦＬ７１の点灯開始時に一時的にＦＢライン８２の電圧が異常検出電圧値以上になるのをＣＣＦＬ７１のランプ割れであると誤検出しないようにするために、異常検出時間が設定されている。
【０００７】
コントロールＩＣ７４は、各ＣＣＦＬ７１の点灯開始後、ＦＢライン８２の電流値が所定の異常検出電流値（複数のＣＣＦＬ７１の全てが点灯しているときの電流値よりも所定の電流値小さい電流値）未満になると、Ｔバランス電源回路７２の出力電圧を上昇させていく。このとき、コントロールＩＣ７４は、Ｔバランス電源回路７２の出力電圧を上昇させていく過程で、ＦＢライン８２の電流値が過電流検出ＦＢ電流値に達した場合には、Ｔバランス電源回路７２の出力電圧を低下させていく。
【０００８】
このような構成の光源装置７０において、各ＣＣＦＬ７１の点灯開始後、いずれかのＣＣＦＬ７１がランプ割れすると、ランプ割れしたＣＣＦＬ７１に電流が流れなくなり、ＦＢライン８２の電流値が異常検出電流値未満になる。これにより、コントロールＩＣ７４によって、Ｔバランス電源回路７２の出力電圧が上昇させられていき、ＣＣＦＬ７１の端子間電圧が上昇していく。これにより、ＦＢライン８２の電圧が上昇していき、ＦＢライン８２の電圧が異常検出電圧値以上になる。そして、ＦＢライン８２の電圧が異常検出時間以上継続して異常検出電圧値以上になると、保護回路７５によって、ＣＣＦＬ７１のランプ割れであると検出される。
【０００９】
一方、１つの冷陰極管を備え、冷陰極管に電流が流れていないことを検出すると、冷陰極管が管割れ等で不点灯になったとして、冷陰極管電源供給回路の動作を止めるようにした冷陰極管不点灯対策回路が知られている（例えば特許文献１参照）。また、複数のＥＥＦＬランプを備え、各ＥＥＦＬランプに近接して設けられたコイルから成る漏れ電流センサによって、各ＥＥＦＬランプの消灯を検出するようにし、漏れ電流センサがいずれかのＥＥＦＬランプの消灯を検出すると、インバータを停止させるようにしたバックライトユニットが知られている（例えば特許文献２参照）。
【先行技術文献】
【特許文献】
【００１０】
【特許文献１】特開平１０−１３４９７０号公報
【特許文献２】特開２００５−１７４９０９号公報
【発明の概要】
【発明が解決しようとする課題】
【００１１】
ところが、上述した従来の光源装置７０において、ＣＣＦＬ７１のランプ割れが発生した場合、ＣＣＦＬ７１の端子間電圧が上昇していくときに、ＣＣＦＬ７１の端子間電圧が高くなることによって、ランプ割れしているＣＣＦＬ７１からシャーシへの放電が起ることがある。ランプ割れしているＣＣＦＬ７１からシャーシへの放電が起ると、ＦＢライン８２の電流が増加し、ＦＢライン８２の電流値が過電流検出ＦＢ電流値以上になる。これにより、コントロールＩＣ７４によって、Ｔバランス電源回路７２の出力電圧が低下させられていき、ＣＣＦＬ７１の端子間電圧が低下していく。これにより、ＦＢライン８２の電圧が低下していき、ＦＢライン８２の電圧が異常検出電圧値未満になる。従って、ＣＣＦＬ７１のランプ割れが発生しても、保護回路７５の異常検出時間が経過する前に、ランプ割れしているＣＣＦＬ７１の端子からシャーシへの放電が起ると、ＦＢライン８２の電圧が異常検出時間以上継続して異常検出電圧値以上にならず、保護回路７５によって、ＣＣＦＬ７１のランプ割れであると検出されない。
【００１２】
本発明は、上記課題を解決するためになされたものであり、複数の光源を備える光源装置において、従来の構成をできるだけ変更せずに、光源の異常状態をより確実に検出することができる光源装置を提供することを目的とする。
【課題を解決するための手段】
【００１３】
上記目的を達成するために本発明の光源装置は、複数の光源が並列に接続された光源回路部と、光源回路部に繋がる異常検出ラインの電圧が、所定の異常検出時間以上継続して所定の異常検出電圧値以上になると、光源回路部の複数の光源のうちの少なくとも１つが点灯していない異常状態であると検出する異常検出手段と、異常検出ラインに流れる電流の電流値が、光源回路部の複数の光源の全てが点灯しているときの電流値よりも所定の電流値小さい所定の異常検出電流値未満になると、光源回路部の各光源の端子間電圧を上昇させていく電圧上昇手段と、電圧上昇手段による光源回路部の各光源の端子間電圧の上昇によって異常検出電圧値以上に上昇した異常検出ラインの電圧を、異常検出電圧値以上に維持させる電圧維持手段と、を備える、ものである。
【００１４】
この構成によれば、光源の異常状態（光源回路部の複数の光源のうちの少なくとも１つが点灯していない異常状態）になると、異常検出ラインに流れる電流の電流値が異常検出電流値未満になり、電圧上昇手段によって、各光源の端子間電圧が上昇させられていく。各光源の端子間電圧が上昇すると、異常検出ラインの電圧が上昇する。そして、各光源の端子間電圧の上昇によって異常検出電圧値以上に上昇した異常検出ラインの電圧は、電圧維持手段によって、異常検出電圧値以上に維持される。これにより、光源の異常状態になったとき、異常検出ラインの電圧は、異常検出時間以上継続して異常検出電圧値以上に維持され、異常検出手段によって、光源の異常状態であると検出される。
【００１５】
また、本発明の光源装置において、電圧維持手段は、光源回路部の光源の端子からシャーシへの放電が起り得るときの光源回路部の光源の端子間電圧の電圧値をシャーシ放電電圧値とすると、光源回路部の各光源の端子間電圧がシャーシ放電電圧値に達しないように、電圧上昇手段による光源回路部の各光源の端子間電圧の上昇を制限する、ことが望ましい。
【００１６】
この構成によれば、電圧維持手段によって、各光源の端子間電圧がシャーシ放電電圧値に達しないように、各光源の端子間電圧の上昇が制限されることにより、電圧上昇手段による各光源の端子間電圧の上昇によって異常検出電圧値以上に上昇した異常検出ラインの電圧が、異常検出電圧値以上に維持される。
【００１７】
また、本発明の光源装置において、電圧維持手段は、異常検出ラインの電圧に基いて、光源回路部の各光源の端子間電圧がシャーシ放電電圧値に達しないように、電圧上昇手段による光源回路部の各光源の端子間電圧の上昇を制限する、ことが望ましい。
【００１８】
この構成によれば、電圧維持手段によって、異常検出ラインの電圧に基いて、各光源の端子間電圧がシャーシ放電電圧値に達しないように、各光源の端子間電圧の上昇が制限されることにより、電圧上昇手段による各光源の端子間電圧の上昇によって異常検出電圧値以上に上昇した異常検出ラインの電圧が、異常検出電圧値以上に維持される。
【００１９】
また、本発明の光源装置において、光源回路部は、トランスの２次側コイルと光源が直列に接続されたものが並列に接続されており、電圧上昇手段は、光源回路部のトランスの２次側コイルの出力電圧を上昇させることにより、光源回路部の各光源の端子間電圧を上昇させる、ことが望ましい。
【００２０】
この構成によれば、トランスの２次側コイルの出力電圧が上昇させられることにより、各光源の端子間電圧が上昇させられる。
【００２１】
また、本発明の光源装置において、異常検出手段により異常状態であると検出されると、光源回路部の各光源を消灯させる保護手段をさらに備える、ことが望ましい。
【００２２】
この構成によれば、光源の異常状態になると、各光源が消灯させられる。
【発明の効果】
【００２３】
本発明によれば、光源の異常状態（光源回路部の複数の光源のうちの少なくとも１つが点灯していない異常状態）になると、電圧上昇手段によって、各光源の端子間電圧が上昇させられていき、各光源の端子間電圧の上昇によって異常検出電圧値以上に上昇した異常検出ラインの電圧は、電圧維持手段によって、異常検出電圧値以上に維持される。これにより、光源の異常状態になったときに、異常検出ラインの電圧を異常検出時間以上継続して異常検出電圧値以上に維持させることができる。従って、異常検出手段によって、光源の異常状態をより確実に検出することができる。しかも、従来の構成をできるだけ変更せずに、光源の異常状態をより確実に検出することができる。
【図面の簡単な説明】
【００２４】
【図１】本発明の一実施形態に係る光源装置の概略構成を示す電気回路図。
【図２】従来の光源装置の構成を示す電気回路図。
【発明を実施するための形態】
【００２５】
以下、本発明を具体化した実施形態による光源装置について図面を参照して説明する。図１は、本実施形態による光源装置の構成を示す。光源装置１は、例えば液晶ディスプレイのバックライトとして用いられる装置である。
【００２６】
光源装置１は、複数のＣＣＦＬ（冷陰極管ランプ）（光源）２が並列に接続された光源回路部２０と、Ｔバランス電源回路３と、トランス４と、コントロールＩＣ（電圧上昇手段、電圧維持手段）５と、保護回路（異常検出手段、保護手段）６とを備える。
【００２７】
光源回路部２０は、Ｇ（Ｇｒｏｕｎｄ）ライン１１とＦＢ（Ｆｅｅｄｂａｃｋ）ライン（異常検出ライン）１２との間に接続されている。すなわち、光源回路部２０の複数のＣＣＦＬ２は、Ｇライン１１、ＦＢライン１２間に並列に接続されている。Ｇライン１１は、一端側が光源回路部２０に接続されており、他端側がグランドに接続されている。ＦＢライン１２は、一端側が光源回路部２０に接続されており、他端側が保護回路６に接続されている。
【００２８】
ＣＣＦＬ２は、端子間に高周波電圧が供給されることにより点灯するランプであり、端子間電圧（端子間に供給される高周波電圧）が所定の点灯開始端子間電圧値に達することにより点灯を開始し、点灯開始後には、端子間電圧が点灯開始端子間電圧値よりも低い所定の点灯維持端子間電圧値で点灯を維持する。
【００２９】
トランス４及びＴバランス電源回路３は、ＣＣＦＬ２の端子間に供給する高周波電圧（ＣＣＦＬ２を点灯させるための高周波電圧）を生成するためのものである。トランス４及びＴバランス電源回路３は、直流電圧から高周波電圧を生成するインバータ回路を構成している。
【００３０】
Ｔバランス電源回路３は、コントロールＩＣ５による制御のもと、不図示の電源回路により生成される直流電圧から高周波電圧を生成し、その生成した高周波電圧をＶＢＬ＋端子３ａ、ＶＢＬ−端子３ｂから出力する。
【００３１】
トランス４は、複数の（ＣＣＦＬ２の個数と同じ個数の）１次側コイル４ａ及び２次側コイル４ｂを備えている。トランス４の複数の（全ての）１次側コイル４ａは、直列に接続されて、Ｔバランス電源回路３のＶＢＬ＋端子３ａ、ＶＢＬ−端子３ｂ間に接続されている。すなわち、トランス４の複数の（全ての）１次側コイル４ａは、Ｔバランス電源回路３のＶＢＬ＋端子３ａ、ＶＢＬ−端子３ｂ間に直列に接続されている。
【００３２】
トランス４の各（１つ１つの）２次側コイル４ｂは、各（１つ１つの）ＣＣＦＬ２に直列に接続されている。従って、光源回路部２０は、トランス４の１つの２次側コイル４ｂと１つのＣＣＦＬ２が直列に接続されたものが複数並列に接続された構成になっている。すなわち、トランス４の１つの２次側コイル４ｂと１つのＣＣＦＬ２が直列に接続されたものが、Ｇライン１１とＦＢライン１２との間に複数並列に接続されている。各２次側コイル４ｂは、ＣＣＦＬ２とＦＢライン１２との間において、ＣＣＦＬ２に直列に接続されている。
【００３３】
Ｔバランス電源回路３から出力された高周波電圧は、トランス４の１次側コイル４ａに供給される。Ｔバランス電源回路３から高周波電圧が出力されることにより、トランス４の各２次側コイル４ｂから高周波電圧が出力され、各ＣＣＦＬ２の端子間に高周波電圧が供給される。Ｔバランス電源回路３から出力される高周波電圧の電圧値が上昇すると、トランス４の各２次側コイル４ｂから出力される高周波電圧の電圧値が上昇し、各ＣＣＦＬ２の端子間に供給される高周波電圧の電圧値が上昇する。また、Ｔバランス電源回路３から出力される高周波電圧の電圧値が低下すると、トランス４の各２次側コイル４ｂから出力される高周波電圧の電圧値が低下し、各ＣＣＦＬ２の端子間に供給される高周波電圧の電圧値が低下する。トランス４の各２次側コイル４ｂに流れる電流（各ＣＣＦＬ２の端子間に流れる電流）を合計した電流が、ＦＢライン１２に流れる電流となる。
【００３４】
コントロールＩＣ５は、ＣＣＦＬ２の点灯を制御するものである。すなわち、コントロールＩＣ５は、Ｔバランス電源回路３からの電圧（高周波電圧）の出力開始、出力停止を制御し、また、Ｔバランス電源回路３の出力電圧（出力する高周波電圧の大きさ）を制御するものである。コントロールＩＣ５は、不図示の電源回路により生成される直流電圧が供給されることにより動作する。
【００３５】
コントロールＩＣ５は、Ｉｓｅｎ端子５ａを有しており、Ｉｓｅｎ端子５ａは、抵抗３１、３２を介してＦＢライン１２に接続されている。Ｉｓｅｎ端子５ａと抵抗３１との間は、抵抗３３を介してグランドに接続されている。コントロールＩＣ５は、Ｉｓｅｎ端子５ａからの入力に基いて、ＦＢライン１２の電流値を検出する。
【００３６】
また、コントロールＩＣ５は、Ｖｓｅｎ端子５ｂを有しており、Ｖｓｅｎ端子５ｂは、ダイオード３４を介してＦＢライン１２に接続されている。ダイオード３４は、アノードがＦＢライン１２に接続され、カソードがＶｓｅｎ端子５ｂに接続されている。コントロールＩＣ５は、Ｖｓｅｎ端子５ｂからの入力に基いて、ＦＢライン１２の電圧値を検出する。
【００３７】
コントロールＩＣ５は、これらＩｓｅｎ端子５ａからの入力に基いて検出するＦＢライン１２の電流値、及びＶｓｅｎ端子５ｂからの入力に基いて検出するＦＢライン１２の電圧値に基いて、Ｔバランス電源回路３の出力電圧を制御する。
【００３８】
保護回路６は、ＣＣＦＬ２のランプ割れ（ＣＣＦＬ２の異常状態であって、複数のＣＣＦＬ２のうちの少なくとも１つが点灯していない異常状態）を検出するものであり、また、ＣＣＦＬ２のランプ割れを検出すると、各ＣＣＦＬ２を消灯させるものである。保護回路６は、光源回路部２０に繋がるＦＢライン１２の電圧に基いて、ＣＣＦＬ２のランプ割れを検出する。そして、保護回路６は、ＣＣＦＬ２のランプ割れを検出すると、光源装置１の電源をオフにして（不図示の電源回路による直流電圧の生成を停止させ、光源装置１の動作を停止させて）、各ＣＣＦＬ２を消灯させる。保護回路６によって、異常検出手段及び保護手段が構成されている。
【００３９】
保護回路６は、ＦＢライン１２の電圧が、所定のランプ割れ検出時間（異常検出時間）以上継続して所定のランプ割れ検出ＦＢ電圧値（異常検出電圧値）以上になると、ＣＣＦＬ２のランプ割れであると検出する。ランプ割れ検出ＦＢ電圧値は、ＣＣＦＬ２のランプ割れを検出するための電圧値であり、ＣＣＦＬ２のランプ割れが発生していないときに全てのＣＣＦＬ２が点灯維持端子間電圧値で点灯を維持するときのＦＢライン１２の電圧値よりも所定電圧値だけ高い電圧値である。ランプ割れ検出ＦＢ電圧値は、予め試験等により求められて設定されている。ランプ割れ検出時間は、ＣＣＦＬ２の点灯開始時に一時的にＦＢライン１２の電圧がランプ割れ検出ＦＢ電圧値以上になるのを、ＣＣＦＬ２のランプ割れであると誤検出しないようにするための時間であり、ＣＣＦＬ２の点灯を開始させるのに要する時間程度の時間である。ランプ割れ検出時間は、予め試験等により求められて設定されている。
【００４０】
コントロールＩＣ５は、光源装置１の電源が投入されると、Ｔバランス電源回路３から電圧を出力させて、ＣＣＦＬ２を点灯させる。また、コントロールＩＣ５は、ＣＣＦＬ２を点灯させているときに、ＣＣＦＬ２を消灯させる指示を受けると、Ｔバランス電源回路３からの電圧の出力を停止させて、ＣＣＦＬ２を消灯させる。また、コントロールＩＣ５は、光源装置１の電源が投入されていて、ＣＣＦＬ２を消灯させているとき（Ｔバランス電源回路３からの電圧の出力を停止させているとき）に、ＣＣＦＬ２を点灯させる指示を受けると、Ｔバランス電源回路３から電圧を出力させて、ＣＣＦＬ２を点灯させる。
【００４１】
コントロールＩＣ５は、ＣＣＦＬ２を点灯させるとき、まず、起動動作を行い、そして、起動動作を行った後に、通常動作を行う。起動動作は、ＣＣＦＬ２の点灯を開始させるためにＴバランス電源回路３の出力電圧を制御する動作である。通常動作は、ＣＣＦＬ２の点灯を維持させるためにＴバランス電源回路３の出力電圧を制御し、また、ＣＣＦＬ２のランプ割れを保護回路６に検出させるためにＴバランス電源回路３の出力電圧を制御する動作である。
【００４２】
コントロールＩＣ５は、起動動作として、以下のようにＴバランス電源回路３の出力電圧を制御する。
【００４３】
コントロールＩＣ５は、ＣＣＦＬ２を点灯させるとき、まず、Ｔバランス電源回路３からの電圧の出力を開始させ、そして、Ｔバランス電源回路３の出力電圧を上昇させていく。Ｔバランス電源回路３の出力電圧が上昇すると、トランス４の各２次側コイル４ｂの出力電圧が上昇し、各ＣＣＦＬ２の端子間電圧が上昇する。つまり、コントロールＩＣ５は、ＣＣＦＬ２を点灯させるとき、まず、Ｔバランス電源回路３の出力電圧を上昇させていくことにより、トランス４の各２次側コイル４ｂの出力電圧を上昇させていって、各ＣＣＦＬ２の端子間電圧を上昇させていく。
【００４４】
続いて、コントロールＩＣ５は、各ＣＣＦＬ２の端子間電圧を上昇させていく（Ｔバランス電源回路３の出力電圧を上昇させていく）過程で、Ｉｓｅｎ端子５ａからの入力に基いて、ＦＢライン１２の電流を検出し、ＦＢライン１２の電流が所定の全点灯開始ＦＢ電流値に達したか否かを判断する。全点灯開始ＦＢ電流値は、全てのＣＣＦＬ２が点灯を開始したことを判断するための電流値である。全点灯開始ＦＢ電流値は、予め試験等により求められて設定されている。
【００４５】
そして、コントロールＩＣ５は、各ＣＣＦＬ２の端子間電圧を上昇させていく過程で、ＦＢライン１２の電流が全点灯開始ＦＢ電流値に達すると、全てのＣＣＦＬ２が点灯開始端子間電圧値で点灯を開始したと判断し、Ｔバランス電源回路３の出力電圧を上昇させるのを停止させる。そして、コントロールＩＣ５は、Ｔバランス電源回路３の出力電圧をそのときの出力電圧から低下させていく。Ｔバランス電源回路３の出力電圧が低下すると、トランス４の各２次側コイル４ｂの出力電圧が低下し、各ＣＣＦＬ２の端子間電圧が低下する。つまり、コントロールＩＣ５は、各ＣＣＦＬ２の端子間電圧を上昇させていく過程で、ＦＢライン１２の電流が全点灯開始ＦＢ電流値に達すると、Ｔバランス電源回路３の出力電圧を低下させていくことにより、トランス４の各２次側コイル４ｂの出力電圧を低下させていって、各ＣＣＦＬ２の端子間電圧を低下させていく。
【００４６】
続いて、コントロールＩＣ５は、各ＣＣＦＬ２の端子間電圧を低下させていく（Ｔバランス電源回路３の出力電圧を低下させていく）過程で、Ｉｓｅｎ端子５ａからの入力に基いて、ＦＢライン１２の電流を検出し、ＦＢライン１２の電流値が所定の全点灯維持ＦＢ電流値に低下したか否かを判断する。全点灯維持ＦＢ電流値は、ＣＣＦＬ２のランプ割れが発生していないときに複数のＣＣＦＬ２の全てが点灯維持端子間電圧値で点灯を維持しているときのＦＢライン１２の電流値、すなわち、ＣＣＦＬ２のランプ割れが発生していないときに各ＣＣＦＬ２の端子間電圧が点灯維持端子間電圧値になるときのＦＢライン１２の電流値である。全点灯維持ＦＢ電流値は、予め試験等により求められて設定されている。
【００４７】
そして、コントロールＩＣ５は、各ＣＣＦＬ２の端子間電圧を低下させていく過程で、ＦＢライン１２の電流が全点灯維持ＦＢ電流値に低下すると、全てのＣＣＦＬ２が点灯維持端子間電圧値で点灯を維持する状態になったと判断し、Ｔバランス電源回路３の出力電圧を低下させるのを停止させる。そして、コントロールＩＣ５は、Ｔバランス電源回路３の出力電圧をそのとき（ＦＢライン１２の電流が全点灯維持ＦＢ電流値のとき）の出力電圧に維持させる。これにより、ＦＢライン１２の電流が全点灯維持ＦＢ電流値に維持される（ＣＣＦＬ２のランプ割れが発生していなければ、各ＣＣＦＬ２の端子間電圧が点灯維持端子間電圧値に維持される）。つまり、コントロールＩＣ５は、各ＣＣＦＬ２の端子間電圧を低下させていく過程で、ＦＢライン１２の電流が全点灯維持ＦＢ電流値に低下すると、Ｔバランス電源回路３の出力電圧をそのときの出力電圧に維持させることにより、ＦＢライン１２の電流を全点灯維持ＦＢ電流値に維持させる。コントロールＩＣ５は、起動動作として、以上のようにＴバランス電源回路３の出力電圧を制御する。
【００４８】
保護回路６におけるランプ割れ検出ＦＢ電圧値は、ＦＢライン１２の電流が全点灯維持ＦＢ電流値のときのＦＢライン１２の電圧値よりも所定電圧値だけ高い（但し、ＦＢライン１２の電流が全点灯開始ＦＢ電流値のときのＦＢライン１２の電圧値よりは低い）電圧値に設定されている。
【００４９】
また、保護回路６におけるランプ割れ検出時間は、コントロールＩＣ５の起動動作において、Ｔバランス電源回路３からの電圧の出力を開始させてから、Ｔバランス電源回路３の出力電圧をＦＢライン１２の電流が全点灯維持ＦＢ電流値のときの出力電圧に維持させるまでの時間程度の時間に設定されている。
【００５０】
また、コントロールＩＣ５は、通常動作として、以下のようにＴバランス電源回路３の出力電圧を制御する。
【００５１】
コントロールＩＣ５は、起動動作を行った後、Ｉｓｅｎ端子５ａからの入力に基いて、ＦＢライン１２の電流を検出し、ＦＢライン１２の電流値が所定の不点灯検出ＦＢ電流値（異常検出電流値）以上であるか否かを判断する。不点灯検出ＦＢ電流値は、全てのＣＣＦＬ２のうちの少なくともいずれか１つが点灯しなくなったことを判断するための電流値であり、全点灯維持ＦＢ電流値（ＣＣＦＬ２のランプ割れが発生していないときに複数のＣＣＦＬ２の全てが点灯維持端子間電圧値で点灯を維持しているときのＦＢライン１２の電流値）よりも所定の電流値小さい電流値である。不点灯検出ＦＢ電流値は、予め試験等により求められて設定されている。
【００５２】
そして、コントロールＩＣ５は、ＦＢライン１２の電流値が不点灯検出ＦＢ電流値未満になっていないときには、Ｔバランス電源回路３の出力電圧を一定に（起動動作において、ＦＢライン１２の電流を全点灯維持ＦＢ電流値に維持させたときの出力電圧に）保つように、Ｔバランス電源回路３の出力電圧を制御する。すなわち、コントロールＩＣ５は、ＦＢライン１２の電流値が不点灯検出ＦＢ電流値未満になっていないときには、Ｖｓｅｎ端子５ｂからの入力に基いて、ＦＢライン１２の電圧を検出し、そして、ＦＢライン１２の電圧を一定に（起動動作において、ＦＢライン１２の電流を全点灯維持ＦＢ電流値に維持させたときの電圧に）保つように、Ｔバランス電源回路３の出力電圧を制御する。これにより、ＦＢライン１２の電流が全点灯維持ＦＢ電流値に維持される（ＣＣＦＬ２のランプ割れが発生していなければ、各ＣＣＦＬ２の端子間電圧が点灯維持端子間電圧値に維持される）。
【００５３】
つまり、コントロールＩＣ５は、起動動作を行った後、ＦＢライン１２の電流値が不点灯検出ＦＢ電流値未満になっていないときには、Ｔバランス電源回路３の出力電圧を一定に保つ（ＦＢライン１２の電圧に基いて、ＦＢライン１２の電圧を一定に保つ）ように、Ｔバランス電源回路３の出力電圧を制御することにより、ＦＢライン１２の電流を全点灯維持ＦＢ電流値に維持させる。
【００５４】
一方、コントロールＩＣ５は、ＦＢライン１２の電流値が不点灯検出ＦＢ電流値未満になったときには、以下のようにＴバランス電源回路３の出力電圧を制御する。
【００５５】
コントロールＩＣ５は、ＦＢライン１２の電流値が不点灯検出ＦＢ電流値未満になると、まず、Ｔバランス電源回路３の出力電圧を上昇させていく。Ｔバランス電源回路３の出力電圧が上昇すると、トランス４の各２次側コイル４ｂの出力電圧が上昇し、各ＣＣＦＬ２の端子間電圧が上昇する。つまり、コントロールＩＣ５は、ＦＢライン１２の電流値が不点灯検出ＦＢ電流値未満になると、まず、Ｔバランス電源回路３の出力電圧を上昇させていくことにより、トランス４の各２次側コイル４ｂの出力電圧を上昇させていって、各ＣＣＦＬ２の端子間電圧を上昇させていく。コントロールＩＣ５によって、電圧上昇手段が構成されている。
【００５６】
このとき、コントロールＩＣ５は、各ＣＣＦＬ２の端子間電圧を上昇させていく（Ｔバランス電源回路３の出力電圧を上昇させていく）過程で、Ｉｓｅｎ端子５ａからの入力に基いて、ＦＢライン１２の電流を検出し、ＦＢライン１２の電流が所定の過電流検出ＦＢ電流値以上に達したか否かを判断する。過電流検出ＦＢ電流値は、電流が異常に流れ過ぎであることを検出するための電流値であり、全点灯開始ＦＢ電流値よりも高い電流値に設定されている。過電流検出ＦＢ電流値は、予め試験等により求められて設定されている。
【００５７】
そして、コントロールＩＣ５は、各ＣＣＦＬ２の端子間電圧を上昇させていく過程で、ＦＢライン１２の電流が過電流検出ＦＢ電流値に達した場合には、Ｔバランス電源回路３の出力電圧を上昇させるのを停止させる。そして、コントロールＩＣ５は、Ｔバランス電源回路３の出力電圧をそのときの出力電圧から低下させていく。Ｔバランス電源回路３の出力電圧が低下すると、トランス４の各２次側コイル４ｂの出力電圧が低下し、各ＣＣＦＬ２の端子間電圧が低下する。つまり、コントロールＩＣ５は、各ＣＣＦＬ２の端子間電圧を上昇させていく過程で、ＦＢライン１２の電流値が過電流検出ＦＢ電流値に達した場合には、Ｔバランス電源回路３の出力電圧を低下させていくことにより、トランス４の各２次側コイル４ｂの出力電圧を低下させていって、各ＣＣＦＬ２の端子間電圧を低下させていく。
【００５８】
また、コントロールＩＣ５は、各ＣＣＦＬ２の端子間電圧を上昇させていく過程で、Ｖｓｅｎ端子５ｂからの入力に基いて、ＦＢライン１２の電圧を検出し、ＦＢライン１２の電圧が所定の上限検出ＦＢ電圧値に達した否かを判断する。上限検出ＦＢ電圧値は、ＣＣＦＬ２の端子間電圧が上限に達したことを判断するための電圧値であり、ＦＢライン１２の電流が全点灯開始ＦＢ電流値のときのＦＢライン１２の電圧値よりも高い電圧値（従って、ランプ割れ検出ＦＢ電圧値よりも高い電圧値）に設定されている。また、上限検出ＦＢ電圧値は、ＦＢライン１２の電圧が上限検出ＦＢ電圧値のときに、ＦＢライン１２の電流が過電流検出ＦＢ電流値未満であるように、設定されている。また、上限検出ＦＢ電圧値は、ランプ割れしているＣＣＦＬ２の端子からシャーシへの放電が起り得るときのＣＣＦＬ２の端子間電圧の電圧値をシャーシ放電電圧値とすると、ＦＢライン１２の電圧が上限検出ＦＢ電圧値のときに、ＣＣＦＬ２の端子間電圧がシャーシ放電電圧値未満（ランプ割れしているＣＣＦＬ２の端子からシャーシへの放電が起らない電圧値）であるように、設定されている。上限検出ＦＢ電圧値は、予め試験等により求められて設定されている。
【００５９】
そして、コントロールＩＣ５は、各ＣＣＦＬ２の端子間電圧を上昇させていく過程で、ＦＢライン１２の電圧が上限検出ＦＢ電圧値に達した場合には、Ｔバランス電源回路３の出力電圧を上昇させるのを停止させる。ＦＢライン１２の電圧が上限検出ＦＢ電圧値のとき、ＦＢライン１２の電流は過電流検出ＦＢ電流値未満であるので、ＦＢライン１２の電流が過電流検出ＦＢ電流値に達する前に、ＦＢライン１２の電圧が上限検出ＦＢ電圧値に達して、Ｔバランス電源回路３の出力電圧を上昇させるのが停止されることになる。そして、コントロールＩＣ５は、Ｔバランス電源回路３の出力電圧をそのとき（ＦＢライン１２の電圧が上限検出ＦＢ電圧値のとき）の出力電圧に維持させる。ＦＢライン１２の電圧が上限検出ＦＢ電圧値のとき、ＣＣＦＬ２の端子間電圧はシャーシ放電電圧値未満である。つまり、コントロールＩＣ５は、各ＣＣＦＬ２の端子間電圧を上昇させていく過程で、ＦＢライン１２の電圧が上限検出ＦＢ電圧値に達すると、Ｔバランス電源回路３の出力電圧をそのとき（ＦＢライン１２の電圧が上限検出ＦＢ電圧値のとき）の出力電圧に維持させることにより、ＣＣＦＬ２の端子間電圧をシャーシ放電電圧値未満に維持させる。すなわち、コントロールＩＣ５は、各ＣＣＦＬ２の端子間電圧を上昇させていく過程で、ＦＢライン１２の電圧に基いて、各ＣＣＦＬ２の端子間電圧がシャーシ放電電圧値に達しないように、各ＣＣＦＬ２の端子間電圧の上昇を制限する。このとき、ＦＢライン１２の電圧は、上限検出ＦＢ電圧値に達するまでのある時点で、ランプ割れ検出ＦＢ電圧値以上に上昇する。
【００６０】
Ｔバランス電源回路３の出力電圧がそのとき（ＦＢライン１２の電圧値が上限検出ＦＢ電圧値のとき）の出力電圧に維持されるので、その後（ＦＢライン１２の電圧が上限検出ＦＢ電圧値に達した後）、Ｔバランス電源回路３の出力電圧の上昇によってＦＢライン１２の電流が増加することがない。また、ＣＣＦＬ２の端子間電圧がシャーシ放電電圧値未満に維持されるので、その後（ＦＢライン１２の電圧が上限検出ＦＢ電圧値に達した後）、ランプ割れしているＣＣＦＬ２の端子からシャーシへの放電が起ることがなく、ランプ割れしているＣＣＦＬ２の端子からシャーシへの放電によってＦＢライン１２の電流が増加することもない。従って、ＦＢライン１２の電流は、ＦＢライン１２の電圧が上限検出ＦＢ電圧値のときの電流から増加することがなく、過電流検出ＦＢ電流値に達することがない。ＦＢライン１２の電流が過電流検出ＦＢ電流値に達することがないので、コントロールＩＣ５は、Ｔバランス電源回路３の出力電圧を低下させていくことがなく、Ｔバランス電源回路３の出力電圧をそのとき（ＦＢライン１２の電圧が上限検出ＦＢ電圧値のとき）の出力電圧に維持し続けることになる。これにより、ＦＢライン１２の電圧は、上限検出ＦＢ電圧値に維持され、ランプ割れ検出ＦＢ電圧値以上に維持される。
【００６１】
つまり、コントロールＩＣ５は、Ｔバランス電源回路３の出力電圧をＦＢライン１２の電圧が上限検出ＦＢ電圧値のときの出力電圧に維持させて、ＣＣＦＬ２の端子間電圧をシャーシ放電電圧値未満に維持させる（各ＣＣＦＬ２の端子間電圧がシャーシ放電電圧値に達しないように、各ＣＣＦＬ２の端子間電圧の上昇を制限する）ことにより、ランプ割れ検出ＦＢ電圧値以上に上昇したＦＢライン１２の電圧を、ランプ割れ検出ＦＢ電圧値以上に維持させる。コントロールＩＣ５によって、電圧維持手段が構成されている。
【００６２】
このように、コントロールＩＣ５は、起動動作を行った後、ＦＢライン１２の電流値が不点灯検出ＦＢ電流値未満になったときには、Ｔバランス電源回路３の出力電圧を制御することにより、各ＣＣＦＬ２の端子間電圧を上昇させていき、そして、ランプ割れ検出ＦＢ電圧値以上に上昇したＦＢライン１２の電圧を、ランプ割れ検出ＦＢ電圧値以上に維持させる。コントロールＩＣ５は、通常動作として、以上のようにＴバランス電源回路３の出力電圧を制御する。
【００６３】
光源装置１は、ＣＣＦＬ２の点灯を開始させるとき（光源装置１の電源が投入されたとき、又は、光源装置１の電源が投入されていてＣＣＦＬ２を消灯させているときに、ＣＣＦＬ２を点灯させる指示を受けたとき）には、以下のように動作する（但し、ＣＣＦＬ２のランプ割れが発生していないとする）。
【００６４】
まず、コントロールＩＣ５によって、Ｔバランス電源回路３の出力電圧が上昇させられていくことにより、トランス４の各２次側コイル４ｂの出力電圧が上昇させられていって、各ＣＣＦＬ２の端子間電圧が上昇させられていく。これにより、各ＣＣＦＬ２の端子間電圧は、上昇していって、点灯開始端子間電圧値に達する。
【００６５】
各ＣＣＦＬ２の端子間電圧が点灯開始端子間電圧値に達すると、各ＣＣＦＬ２が点灯を開始し（各ＣＣＦＬ２に電流が流れ始め）、各ＣＣＦＬ２に流れる電流が増加していく。このとき、各ＣＣＦＬ２に流れる電流は、ＣＣＦＬ２に流れる電流の増加によりＣＣＦＬ２の端子間抵抗が小さくなることによって増加していき、また、ＣＣＦＬ２の端子間電圧が上昇していくことによって増加していく。各ＣＣＦＬ２に流れる電流が増加していくことにより、ＦＢライン１２の電流は、増加していき、ＦＢライン１２の電圧は、上昇していく。これにより、ＦＢライン１２の電流は、増加していって、全点灯開始ＦＢ電流値に達する。また、ＦＢライン１２の電圧は、ＦＢライン１２の電流が全点灯開始ＦＢ電流値に達するまでのある時点で、ランプ割れ検出ＦＢ電圧値以上になる。
【００６６】
ＦＢライン１２の電流値が全点灯開始ＦＢ電流値に達すると、コントロールＩＣ５によって、全てのＣＣＦＬ２が点灯を開始したと判断されて、Ｔバランス電源回路３の出力電圧が低下させられていくことにより、トランス４の各２次側コイル４ｂの出力電圧が低下させられていって、各ＣＣＦＬ２の端子間電圧が低下させられていく。各ＣＣＦＬ２の端子間電圧が低下していくことにより、各ＣＣＦＬ２に流れる電流が減少していく。そして、各ＣＣＦＬ２に流れる電流が減少していくことにより、ＦＢライン１２の電流は、減少していき、ＦＢライン１２の電圧は、低下していく。これにより、ＦＢライン１２の電流は、減少していって、全点灯維持ＦＢ電流値になる。また、ＦＢライン１２の電圧は、ＦＢライン１２の電流が全点灯維持ＦＢ電流値に低下するまでのある時点で、ランプ割れ検出ＦＢ電圧値未満になる。
【００６７】
このとき、ＦＢライン１２の電圧は、ＦＢライン１２の電流が全点灯開始ＦＢ電流値に達するまでのある時点でランプ割れ検出ＦＢ電圧値以上になった後、ランプ割れ検出時間が経過する前に、ランプ割れ検出ＦＢ電圧値未満になる。従って、ＦＢライン１２の電圧は、ランプ割れ検出時間以上継続してランプ割れ検出ＦＢ電圧値以上にならず、保護回路６によってＣＣＦＬ２のランプ割れであると誤検出されることがない。
【００６８】
ＦＢライン１２の電流値が全点灯維持ＦＢ電流値まで低下すると、コントロールＩＣ５によって、Ｔバランス電源回路３の出力電圧がそのとき（ＦＢライン１２の電流値が全点灯維持ＦＢ電流値のとき）の出力電圧に維持されることにより、ＦＢライン１２の電流が全点灯維持ＦＢ電流値に維持され、各ＣＣＦＬ２の端子間電圧が点灯維持端子間電圧値に維持される。これにより、各ＣＣＦＬ２は、点灯維持端子間電圧値で点灯を維持する。光源装置１は、ＣＣＦＬ２の点灯を開始させるときには、このように動作して、各ＣＣＦＬ２が点灯を開始する。
【００６９】
また、光源装置１は、ＣＣＦＬ２が点灯を開始した後（ＣＣＦＬ２が点灯を維持しているとき）、ＣＣＦＬ２のランプ割れが発生していないときには、以下のように動作する。
【００７０】
ＣＣＦＬ２が点灯を開始した後、ＣＣＦＬ２のランプ割れが発生していなければ、各ＣＣＦＬ２の端子間電圧は、点灯維持端子間電圧値に維持されていて、各ＣＣＦＬ２は、点灯維持端子間電圧値で点灯を維持する。これにより、各ＣＣＦＬ２には、点灯維持端子間電圧値で点灯を維持しているときの電流が流れ、ＦＢライン１２の電流は、全点灯維持ＦＢ電流値（不点灯検出ＦＢ電流値以上）になる。
【００７１】
ＦＢライン１２の電流が不点灯検出ＦＢ電流値以上なので、コントロールＩＣ５によって、Ｔバランス電源回路３の出力電圧が一定に維持されることにより、ＦＢライン１２の電流が一定に（全点灯維持ＦＢ電流値に）維持され、各ＣＣＦＬ２の端子間電圧が一定に（点灯維持端子間電圧値に）維持される。これにより、各ＣＣＦＬ２は、点灯維持端子間電圧値で点灯を維持する。光源装置１は、ＣＣＦＬ２が点灯を開始した後、ＣＣＦＬ２のランプ割れが発生していないときには、このように動作して、各ＣＣＦＬ２が点灯を維持する。
【００７２】
また、光源装置１は、ＣＣＦＬ２が点灯を開始した後（ＣＣＦＬ２が点灯を維持しているとき）、ＣＣＦＬ２のランプ割れが発生したときには、以下のように動作する。
【００７３】
ＣＣＦＬ２が点灯を開始した後、ＣＣＦＬ２のランプ割れが発生すると、ランプ割れしたＣＣＦＬ２に電流が流れなくなり、ＦＢライン１２の電流は、全点灯維持ＦＢ電流値から減少して、不点灯検出ＦＢ電流値未満になる。
【００７４】
ＦＢライン１２の電流値が不点灯検出ＦＢ電流値未満になると、コントロールＩＣ５によって、Ｔバランス電源回路３の出力電圧が上昇させられていくことにより、トランス４の各２次側コイル４ｂの出力電圧が上昇させられていって、各ＣＣＦＬ２の端子間電圧が上昇させられていく。各ＣＣＦＬ２の端子間電圧が上昇していくことにより、各ＣＣＦＬ２の端子間に流れる電流が増加していく。そして、各ＣＣＦＬ２に流れる電流が増加していくことにより、ＦＢライン１２の電流は、増加していき、ＦＢライン１２の電圧は、上昇していく。これにより、ＦＢライン１２の電圧は、上昇していって、上限検出ＦＢ電圧値に達する。ＦＢライン１２の電圧は、上限検出ＦＢ電圧値に達するまでのある時点で、ランプ割れ検出ＦＢ電圧値以上に上昇する。ＦＢライン１２の電圧が上限検出ＦＢ電圧値のとき、ＦＢライン１２の電流は過電流検出ＦＢ電流値未満であり、また、各ＣＣＦＬ２の端子間電圧はシャーシ放電電圧値未満である。従って、ＦＢライン１２の電流が過電流検出ＦＢ電流値に達する前に、また、ランプ割れしているＣＣＦＬ２の端子からシャーシへの放電が起ることなく、ＦＢライン１２の電圧が上限検出ＦＢ電圧値に達する。
【００７５】
ＦＢライン１２の電圧値が上限検出ＦＢ電圧値に達すると、コントロールＩＣ５によって、Ｔバランス電源回路３の出力電圧がそのとき（ＦＢライン１２の電圧値が上限検出ＦＢ電圧値のとき）の出力電圧に維持されることにより、ＦＢライン１２の電圧値が上限検出ＦＢ電圧値に維持され、また、各ＣＣＦＬ２の端子間電圧がシャーシ放電電圧値未満に維持される。つまり、コントロールＩＣ５によって、ＦＢライン１２の電圧に基いて、ＦＢライン１２の電圧値が上限検出ＦＢ電圧値に維持され、また、各ＣＣＦＬ２の端子間電圧がシャーシ放電電圧値に達しないように、各ＣＣＦＬ２の端子間電圧の上昇が制限される。
【００７６】
Ｔバランス電源回路３の出力電圧がそのとき（ＦＢライン１２の電圧値が上限検出ＦＢ電圧値のとき）の出力電圧に維持されることにより、その後、Ｔバランス電源回路３の出力電圧の上昇によってＦＢライン１２の電流が増加することがない。また、ＣＣＦＬ２の端子間電圧がシャーシ放電電圧値未満に維持されることにより、その後、ランプ割れしているＣＣＦＬ２の端子からシャーシへの放電が起ることがなく、ランプ割れしているＣＣＦＬ２の端子からシャーシへの放電によってＦＢライン１２の電流が増加することもない。従って、ＦＢライン１２の電流は、その後、増加することがなく、過電流検出ＦＢ電流値に達しない。
【００７７】
ＦＢライン１２の電流が過電流検出ＦＢ電流値に達しないので、コントロールＩＣ５によって、Ｔバランス電源回路３の出力電圧が低下させられていくことがない。従って、Ｔバランス電源回路３の出力電圧は、ＦＢライン１２の電圧値が上限検出ＦＢ電圧値のときの出力電圧に維持され続け、ＦＢライン１２の電圧値は、上限検出ＦＢ電圧値に維持され続ける。これにより、ランプ割れ検出ＦＢ電圧値以上に上昇したＦＢライン１２の電圧は、ランプ割れ検出ＦＢ電圧値以上に維持され続ける。
【００７８】
ＦＢライン１２の電圧は、上限検出ＦＢ電圧値に達するまでのある時点でランプ割れ検出ＦＢ電圧値以上になった後、ランプ割れ検出ＦＢ電圧値未満になることなく、継続して、ランプ割れ検出ＦＢ電圧値以上に維持される。これにより、ＦＢライン１２の電圧は、ランプ割れ検出時間以上継続してランプ割れ検出ＦＢ電圧値以上になる。
【００７９】
これにより、保護回路６によって、ＣＣＦＬ２のランプ割れであると検出される。そして、保護回路６によって、光源装置１の電源がオフにされて（不図示の電源回路による直流電圧の生成が停止され、光源装置１の動作が停止されて）、各ＣＣＦＬ２が消灯させられる。光源装置１は、ＣＣＦＬ２が点灯を開始した後、ＣＣＦＬ２のランプ割れが発生したときには、このように動作して、ＣＣＦＬ２のランプ割れを検出し、光源装置１の電源がオフになり、各ＣＣＦＬ２が消灯する。
【００８０】
このように、上記構成の光源装置１によれば、ＣＣＦＬ２のランプ割れが発生すると、コントロールＩＣ５によって、各ＣＣＦＬ２の端子間電圧が上昇させられていき、そして、各ＣＣＦＬ２の端子間電圧の上昇によってランプ割れ検出ＦＢ電圧値以上に上昇したＦＢライン１２の電圧は、コントロールＩＣ５によって、ランプ割れ検出ＦＢ電圧値以上に維持される。これにより、ＣＣＦＬ２のランプ割れが発生したときに、ＦＢライン１２の電圧をランプ割れ検出時間以上継続してランプ割れ検出ＦＢ電圧値以上に維持させることができる。従って、保護回路６によって、ＣＣＦＬ２のランプ割れをより確実に検出することができる。
【００８１】
しかも、コントロールＩＣ５によって、各ＣＣＦＬ２の端子間電圧の上昇によってランプ割れ検出ＦＢ電圧値以上に上昇したＦＢライン１２の電圧を、ランプ割れ検出ＦＢ電圧値以上に維持させる構成になっている。このような構成により、従来の構成をできるだけ変更せずに、ＣＣＦＬ２のランプ割れをより確実に検出することができる。つまり、大きなコストアップなしに、ＣＣＦＬ２のランプ割れをより確実に検出することができる。
【００８２】
また、コントロールＩＣ５によって、各ＣＣＦＬ２の端子間電圧がシャーシ放電電圧値に達しないように、各ＣＣＦＬ２の端子間電圧の上昇を制限することにより、各ＣＣＦＬ２の端子間電圧の上昇によってランプ割れ検出ＦＢ電圧値以上に上昇したＦＢライン１２の電圧を、ランプ割れ検出ＦＢ電圧値以上に維持させる構成になっている。このような構成により、従来の構成をより一層変更せずに、ＣＣＦＬ２のランプ割れをより確実に検出することができる。
【００８３】
また、コントロールＩＣ５によって、ＦＢライン１２の電圧に基いて、各ＣＣＦＬ２の端子間電圧がシャーシ放電電圧値に達しないように、各ＣＣＦＬ２の端子間電圧の上昇を制限することにより、各ＣＣＦＬ２の端子間電圧の上昇によってランプ割れ検出ＦＢ電圧値以上に上昇したＦＢライン１２の電圧を、ランプ割れ検出ＦＢ電圧値以上に維持させる構成になっている。このような構成により、従来の構成をより一層変更せずに、ＣＣＦＬ２のランプ割れをより確実に検出することができる。
【００８４】
なお、本発明は、上記実施形態の構成に限られず、種々の変形が可能である。例えば、コントロールＩＣは、ＦＢラインの電圧を検出することに代えて、Ｔバランス電源回路の出力電圧を検出するようにし、そして、通常動作において、Ｔバランス電源回路の出力電圧に基いて、各ＣＣＦＬの端子間電圧がシャーシ放電電圧値に達しないようにＴバランス電源回路の出力電圧の上昇を制限（各ＣＣＦＬの端子間電圧の上昇を制限）するようにしてもよい。このような構成によっても、ＦＢラインの電圧をランプ割れ検出時間以上継続してランプ割れ検出ＦＢ電圧値以上に維持させることができ、ＣＣＦＬのランプ割れをより確実に検出することができる。
【００８５】
また、コントロールＩＣは、通常動作において、各ＣＣＦＬの端子間電圧がシャーシ放電電圧値に達しないようにＴバランス電源回路の出力電圧の上昇を制限（各ＣＣＦＬの端子間電圧の上昇を制限）すること、及び、ＦＢラインの電流が過電流検出ＦＢ電流値以上になったときにＴバランス電源回路の出力電圧を低下させること、を行わないようにしてもよい。このような構成によれば、ランプ割れしているＣＣＦＬの端子からシャーシへの放電が起っても、Ｔバランス電源回路の出力電圧が低下せず、ＦＢラインの電圧が低下しない。従って、このような構成によっても、ＦＢラインの電圧をランプ割れ検出時間以上継続してランプ割れ検出ＦＢ電圧値以上に維持させることができ、ＣＣＦＬのランプ割れをより確実に検出することができる。
【００８６】
また、保護回路は、ＣＣＦＬのランプ割れを検出したとき、光源装置の電源をオフにはせずに（光源装置の電源が投入されている状態を維持したまま）、Ｔバランス電源回路からの電圧の出力を停止させることにより、各ＣＣＦＬを消灯させるようにしてもよい。
【符号の説明】
【００８７】
１    光源装置
２    ＣＣＦＬ（光源）
３    Ｔバランス電源回路
３ａ    ＶＢＬ＋端子
３ｂ    ＶＢＬ−端子
４    トランス
４ａ    １次側コイル４ａ
４ｂ    ２次側コイル４ｂ
５    コントロールＩＣ（電圧上昇手段、電圧維持手段）
５ａ    Ｉｓｅｎ端子
５ｂ    Ｖｓｅｎ端子
６    保護回路（異常検出手段、保護手段）
１１    Ｇライン
１２    ＦＢライン（異常検出ライン）
２０    光源回路部
３１、３２、３３    抵抗
３４    ダイオード
【図１】
2014220155.tif 000003
【図２】
2014220155.tif 000004